(57)【要約】      （修正有）【課題】外付けレンズ用のスマートフォンホルダーを提供する。【解決手段】外付けレンズ用のスマートフォンホルダー１００は、筐体１１０と、左側挟持板１７０Ａと、右側挟持板１７０Ｂと、レンズ固定片１５０と、を備える。筐体は４つのフレームストリップを有し、これらに囲まれることで中空部が形成される。上部フレームストリップ１２０及び下部フレームストリップ１４０は中空部に対向する側に上部レール１２６及び下部レール１４６をそれぞれ有する。左側挟持板は筐体の左側フレームストリップ１６０に固定される。右側挟持板は筐体の右側フレームストリップ１８０に移動可能に組み立てられる。これにより、左側挟持板と右側挟持板との間隔が調整され、異なる大きさの携帯電話が挟持可能になる。レンズ固定片は上部フレームストリップ及び下部フレームストリップのレールの間に装設され、これにより、筐体の中空部内でレンズ固定片の位置を左右に移動可能になる。【選択図】図１
0003220345.tif 000002
【実用新案登録請求の範囲】
【請求項１】
筐体であって、上部フレームストリップと、下部フレームストリップと、左側フレームストリップと、右側フレームストリップと、前記筐体に囲まれることで形成される中空部を含み、前記上部フレームストリップは内部に位置される上部通路及び前記中空部に対向する側に位置される上部レールを有し、前記上部通路は前記上部フレームストリップの端面に位置される開口部を有し、前記下部フレームストリップは内部に位置される下部通路及び前記中空部に対向する側に位置される下部レールを有し、前記下部通路は前記下部フレームストリップの端面に位置される開口部を有する筐体と、
前記左側フレームストリップに固定される左側挟持板と、
前記二つの開口部から前記筐体の前記上部通路及び前記下部通路にそれぞれ挿入されるように平行する２本のロッドを有する右側挟持板であって、前記左側挟持板と前記右側挟持板との間隔が調整されるように前記２本のロッドが前記上部通路及び前記下部通路内を滑動する右側挟持板と、
前記筐体の前記上部レールと下部レールとの間に装設され、前記中空部内で前記上部レール及び前記下部レールに沿って滑動を行うレンズ固定片と、を備えることを特徴とする、
外付けレンズ用のスマートフォンホルダー。
【請求項２】
前記筐体は後枠及び前枠を備え、前記レンズ固定片は前記後枠の上に装設され、前記前枠は前記レンズ固定片の上に装設され、且つ前記後枠に対応するように組み合わせられることを特徴とする請求項１に記載の外付けレンズ用のスマートフォンホルダー。
【請求項３】
前記レンズ固定片はレンズ取付穴と、上縁部と、下縁部とを有し、前記上縁部及び前記下縁部は前記筐体の前記上部レール及び前記下部レールにそれぞれ対応し、前記上縁部及び前記下縁部は直角湾曲構造を各々有し、前記上部レール及び前記下部レールはバンプ構造を各々有することを特徴とする請求項１に記載の外付けレンズ用のスマートフォンホルダー。
【請求項４】
前記レンズ固定片は前記レンズ取付穴中に装設される丸座金を備えることを特徴とする請求項３に記載の外付けレンズ用のスマートフォンホルダー。
【請求項５】
前記右側挟持板は前記２本のロッドの外部にそれぞれ被装されると共に前記上部通路及び前記下部通路中に挿入される２つのバネを備えることを特徴とする請求項１に記載の外付けレンズ用のスマートフォンホルダー。
【請求項６】
前記右側挟持板は２つのネジを備え、各前記ネジは前記２本のロッドの一端に螺着されることを特徴とする請求項５に記載の外付けレンズ用のスマートフォンホルダー。
【請求項７】
前記左側挟持板と前記右側挟持板との間に収容されるのに適する大きさの平板状ブラケットを更に備え、前記平板状ブラケットはスマートフォンを載置させると共に前記スマートフォンを前記平板状ブラケットに対して交叉させるためのスロットを有することを特徴とする請求項１に記載の外付けレンズ用のスマートフォンホルダー。
【考案の詳細な説明】
【技術分野】
【０００１】
本考案は、スマートフォンの付属品の分野に関し、より詳しくは、外付けレンズが装設されるホルダーに関する。
【背景技術】
【０００２】
電子科学技術の目覚ましい発展に伴い、電子製品の機能も日々強力になっている。例えば、スマートフォンは写真及びビデオ撮影機能を兼ね備えている。従来市場に出回るスマートフォンの撮影画質は顕著に向上しているが、スマートフォン自体のレンズは通常固定式であるため交換しにくく、撮影効果が制限された。
このため、使用者はスマートフォンでより多様な画像効果を使用した撮影を行うため、或いは様々な場面に適応させるために、通常は外付けレンズを増設させるようにしている。また、撮影が便利になり、撮影品質が高まるため、メーカーも外付けレンズを取り付け可能な携帯電話ホルダーの開発に注力している。
【考案の概要】
【考案が解決しようとする課題】
【０００３】
しかしながら、前述した従来の技術において、携帯電話は機種の違いによってレンズの位置がやや異なり、ある機種では中間にあり、ある機種では左や右に寄っていたりする。市場に出回る携帯電話ホルダーの多くはある特定の機種の携帯電話にのみ適用可能となっているため、適用性が低い。このため、製造メーカーは携帯電話の機種毎に異なる規格の携帯電話ホルダーを製造しており、これは製造コストが増加するのみならず、消費者の購買意欲も高まらず、普及や使用に不利であった。
【０００４】
そこで、本考案者は簡単な構造の携帯電話ホルダーを開発して異なる大きさのスマートフォンを安定的に挟持可能にし、携帯電話自体のレンズ位置に応じて外付けレンズの取り付け位置を調整するようにすれば市場での競争力が高まると考えた。
【０００５】
本考案は、このような従来の問題に鑑みてなされたものである。上記課題解決のため、本考案は、構造が簡単であり、異なる幅のスマートフォンを安定的に挟持可能であり、携帯電話自体のレンズ位置に合わせて外付けレンズの取り付け位置を調整可能にする、外付けレンズ用のスマートフォンホルダーを提供することを主目的とする。
【課題を解決するための手段】
【０００６】
上記課題を解決するために、本考案のある態様の外付けレンズ用のスマートフォンホルダーは、筐体と、左側挟持板と、右側挟持板と、レンズ固定片とを備える。筐体は、上部フレームストリップと、下部フレームストリップと、左側フレームストリップと、右側フレームストリップと、筐体に囲まれることで形成される中空部を含む。上部フレームストリップは内部に位置される上部通路及び中空部に対向する側に位置される上部レールを有する。上部通路は上部フレームストリップの端面に位置される開口部を有する。下部フレームストリップは内部に位置される下部通路及び中空部に対向する側に位置される下部レールを有する。下部通路は下部フレームストリップの端面に位置される開口部を有する。左側挟持板は左側フレームストリップに固定される。右側挟持板は前記二つの開口部から筐体の上部通路及び下部通路にそれぞれ挿入されるように平行する２本のロッドを有する。２本のロッドは、左側挟持板と右側挟持板との間隔が調整されるように上部通路及び下部通路内を滑動する。レンズ固定片は上部レールと下部レールとの間に装設され、筐体の中空部内で前記上部レール及び前記下部レールの延伸方向に沿って滑動を行う。
【０００７】
本考案の好適例において、筐体は後枠及び前枠を備え、レンズ固定片は後枠の上に装設され、前枠はレンズ固定片の上に装設され、且つ後枠に対応するように組み合わせられる。
【０００８】
本考案の好適例において、レンズ固定片は、レンズ取付穴と、上縁部及び下縁部は筐体の前記上部レール及び下部レールにそれぞれ対応させ、上縁部及び下縁部は直角湾曲構造を各々有し、上部レール及び下部レールはバンプ構造を各々有する。
【０００９】
本考案の好適例において、レンズ固定片はレンズ取付穴中に装設される丸座金を備え、これによりレンズ取付穴と外付けレンズとが緊合される。
【００１０】
本考案の好適例において、右側挟持板は、２本のロッドの外部にそれぞれ被装されると共に上部通路及び下部通路中にそれぞれ挿入される２つのバネを備え、左側挟持板と右側挟持板との間隔が開かれた後、バネにより回復力が提供される。
【００１１】
本考案の好適例において、右側挟持板は２つのネジを備える。各ネジは２本のロッドの一端に螺着され、バネの脱落を防止させる。
【００１２】
本考案の好適例において、スマートフォンホルダーは左側挟持板と右側挟持板との間に収容されるのに適する大きさの平板状ブラケットを更に備え、平板状ブラケットはスマートフォンを載置させると共にスマートフォンを平板状ブラケットに対して交叉させるためのスロットを有する。
【考案の効果】
【００１３】
本考案のスマートフォンホルダーは、移動可能な右側挟持板により左側挟持板との間隔の調整を行い、且つバネの回復力を利用して右側挟持板が引っぱられた際に本来の位置に自動的に戻るようにし、この回復力により異なる幅のスマートフォンが安定的に挟持可能になる。
また、外付けレンズの位置を調整するために、スマートフォンホルダーのレンズ固定片が中空部内で上部レール及び下部レールの方向に沿って左右に平行移動する。
【図面の簡単な説明】
【００１４】
【図１】本考案の第１実施形態に係る外付けレンズ用のスマートフォンホルダーを示す分解図である。
【図２】本考案の第１実施形態のスマートフォンホルダーを示す正面の組み合わせ図である。
【図３】本考案の第１実施形態のスマートフォンホルダーを示す背面の組み合わせ図である。
【図４】本考案の第１実施形態のスマートフォンホルダーを示す使用の概略図である。
【図５】本考案の第１実施形態のスマートフォンホルダーを示す使用の概略図である。
【図６】本考案の第２実施形態に係る携帯電話ホルダーキットを示す分解図である。
【図７】本考案の第２実施形態に係る携帯電話ホルダーキットを示す組み合わせ図である。
【図８】本考案の第２実施形態に係る携帯電話ホルダーキットを示す使用の概略図である。
【考案を実施するための形態】
【００１５】
以下、本開示の実施形態について図面を用いて説明する。なお、本開示は、下記の実施形態に何ら限定されることはなく、本開示の技術的範囲に属する限り種々の形態を採りうる。また、以下の実施形態において述べる上、下、左、右、前、後等の方向用語は、付随する図面における方向を示すためのものにすぎない。よって、これら前記方向用語は説明に用いられるのみにすぎず、本考案を制限するものではない。
【００１６】
［第１実施形態］
図１は本考案の第１実施形態のスマートフォンホルダーを示す分解図である。スマートフォンホルダー１００は、筐体１１０と、左側挟持板１７０Ａと、右側挟持板１７０Ｂと、レンズ固定片１５０とを備える。
筐体１１０は前枠１１０Ａ及び後枠１１０Ｂで構成される。左側挟持板１７０Ａは後枠１１０Ｂの側辺に固定される。右側挟持板１７０Ｂの付属部材として２つのバネ１７１、１７３、２本のロッド１７２、１７４、２つのネジ１７５、１７６、滑り止めパッド１７７等を含む。レンズ固定片１５０の付属部材として丸座金１９０を含む。
【００１７】
後枠１１０Ｂは、上部フレームストリップ１２０と、下部フレームストリップ１４０と、左側フレームストリップ１６０と、右側フレームストリップ１８０と、これらに囲まれることで形成される中空部を含む。上部フレームストリップ１２０は内部に位置される上部通路１２２、及び中空部１３０に対向する側に位置される上部レール１２６を有する。
上部通路１２２は上部フレームストリップ１２０の端面１２８に位置される開口部１２４を有する。下部フレームストリップ１４０は内部に位置される下部通路１４２、及び中空部１３０に対向する側に位置される下部レール１４６を有する。下部通路１４２は下部フレームストリップ１４０の端面１４８に位置される開口部１４４を有する。前枠１１０Ａの構造は後枠１１０Ｂに対応するように組み合わせられる。左側挟持板１７０Ａは左側フレームストリップ１６０に固定される。左側挟持板１７０Ａの挟持面にはもう一つの滑り止めパッドが装設されてもよい。
【００１８】
レンズ固定片１５０は、レンズ取付穴１５２と、上縁部１５４と、下縁部１５６とを有する。上縁部１５４の構造は筐体１１０の上部レール１２６に対応し、下縁部１５６の構造は下部レール１４６に対応する。本実施形態では、上縁部１５４及び下縁部１５６には共に直角湾曲構造を有する。筐体１１０の上部レール１２６及び下部レール１４６は共に平滑なバンプであり、上縁部１５４及び下縁部１５６に対応するように直角湾曲構造が組み合わせられる。
【００１９】
組み立ての際には、まず各ロッド１７２、１７４の一端を右側挟持板１７０Ｂの上端及び下端にそれぞれ平行に固定させる。次に、２つのバネ１７１、１７３を２本のロッド１７２、１７４の他端からそれぞれ挿入する。図１に示すように、２本のロッド１７２、１７４が２つのバネ１７１、１７３をそれぞれ貫通させ、２つのバネ１７１、１７３が２本のロッド１７２、１７４の外部に各々被装される。そして、ネジ１７５、１７６が２本のロッド１７２、１７４の他端にそれぞれ螺着され、２つのバネ１７１、１７３の脱落が防止される。また、右側挟持板１７０Ｂの挟持面には滑り止め機能を強化するための滑り止めパッド１７７が貼付される。
【００２０】
上述の右側挟持板１７０Ｂ及びその付属部材の組み立てが完成した後、平行する２本のロッド１７２、１７４の他端をその上のバネ１７１、１７３及びネジ１７５、１７６と共に、後枠１１０Ｂの開口部１２４、１４４から上部通路１２２及び下部通路１４２にそれぞれ挿入する。これにより、左側挟持板１７０Ａと右側挟持板１７０Ｂとの間隔を調整するように右側挟持板１７０Ｂの２本のロッド１７２、１７４が上部通路１２２及び下部通路１４２内で滑動する。左側挟持板１７０Ａと右側挟持板１７０Ｂとの間隔が開かれた後、バネ１７１、１７３により右側挟持板１７０Ｂが原位置に自動的に戻るための回復力を提供する。
【００２１】
その後、丸座金１９０をレンズ固定片１５０のレンズ取付穴１５２中に装設する。レンズ固定片１５０の上縁部１５４が上部レール１２６に滑動可能に組み合わせられ、その下縁部１５６が下部レール１４６に滑動可能に組み合わせられ、レンズ固定片１５０が後枠１１０Ｂの中空部１３０内に位置される。
【００２２】
最後に、前枠１１０Ａをレンズ固定片１５０の上に装設されると共に、且つ後枠に対応するように組み合わせられ、右側挟持板１７０Ｂ及びレンズ固定片１５０が後枠１１０Ｂから脱落することが防止される。
【００２３】
図２は組み立て完成後のスマートフォンホルダー１００の正面図である。レンズ固定片１５０は筐体１１０の中空部１３０内で上部レール１２６及び下部レール１４６の延伸方向に沿って左右に滑動する。
【００２４】
スマートフォンホルダー１００の後枠１１０Ｂの背面には４つのネジ穴１１１Ａ、１１２Ａ、１１３Ａ、１１４Ａを有する。後枠１１０Ｂ及び前枠１１０Ａが組み立てられて完全な筐体１１０が完成した後、４つのネジ１１１、１１２、１１３、１１４がネジ穴１１１Ａ、１１２Ａ、１１３Ａ、１１４Ａをそれぞれ貫通させることにより、後枠１１０Ｂ及び前枠１１０Ａが一緒に固定される（図３参照）。
【００２５】
図４は本考案のスマートフォンホルダー１００を示す使用の概略図である。右側挟持板１７０Ｂが引っ張られると、左側挟持板１７０Ａと右側挟持板１７０Ｂとの間の幅Ｗが携帯電話３００の挟持に適合するようになる。レンズ固定片１５０を携帯電話３００本体のレンズに位置を合わせるまで平行移動させ、外付けレンズ４００を取り付ける。
【００２６】
図５は使用時の背面構造を図示し、左側挟持板１７０Ａ及び右側挟持板１７０Ｂが中空構造を有し、材料コストが節約されることを示す。
【００２７】
［第２実施形態］
図６は本考案の第２実施形態に係る携帯電話ホルダーキット２００を示す分解図である。携帯電話ホルダーキット２００は、スマートフォンホルダー２１０及び平板状ブラケット２２０を備える。
図７は平板状ブラケット２２０及びスマートフォンホルダー２１０の組み合わせ構造を示す。スマートフォンホルダー２１０の外観構造は第１実施形態とは異なり、平板状ブラケット２２０の大きさは左側挟持板２７０Ａと右側挟持板２７０Ｂとの間に収容されるのに適合する。平板状ブラケット２２０は携帯電話３００を載置するために用いられる２つのＵ形スロット２２２及び２２４を有する。
【００２８】
図８は本考案の携帯電話ホルダーキット２００を示す使用の概略図である。使用時には携帯電話３００のレンズが設けられる一端をスマートフォンホルダー２１０によって挟み、携帯電話３００の他端を平板状ブラケット２２０のＵ形スロット２２２に挿入した後、平板状ブラケット２２０及び携帯電話３００を互いに垂直に交叉して平面上に安定的に立たせ、撮影しやすくする。
【００２９】
本考案のスマートフォンホルダーは、移動可能な右側挟持板により左側挟持板との間隔を調整し、バネの回復力により右側挟持板が引っ張られた際に本来の位置に自動的に戻るため、この回復力により異なる幅のスマートフォンが安定的に挟持される。また、外付けレンズの位置を調整するように、スマートフォンホルダーのレンズ固定片が中空部内で上部レール及び下部レールの方向に沿って左右に平行移動する。
【００３０】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３１】
１００  スマートフォンホルダー
１１０  筐体
１１０Ａ  前枠
１１０Ｂ  後枠
１１１Ａ  ネジ穴
１１２Ａ  ネジ穴
１１３Ａ  ネジ穴
１１４Ａ  ネジ穴
１１１  ネジ
１１２  ネジ
１１３  ネジ
１１４  ネジ
１２０  上部フレームストリップ
１２２  上部通路
１２４  上部通路の開口部
１２６  上部レール
１２８  上部フレームストリップの端面
１３０  中空部
１４０  下部フレームストリップ
１４２  下部通路
１４４  下部通路の開口部
１４６  下部レール
１４８  下部フレームストリップの端面
１５２  レンズ取付穴
１５４  レンズ固定片の上縁部
１５６  レンズ固定片の下縁部
１５０  レンズ固定片
１６０  左側フレームストリップ
１７０Ａ  左側挟持板
１７０Ｂ  右側挟持板
１７１  バネ
１７３  バネ
１７２  ロッド
１７４  ロッド
１７５  ネジ
１７６  ネジ
１７７  滑り止めパッド
１８０  右側フレームストリップ
１９０  丸座金
２００  携帯電話ホルダーキット
２１０  スマートフォンホルダー
２２０  平板状ブラケット
２２２  スロット
２２４  スロット
２４０  収容空間
２７０Ａ  左側挟持板
２７０Ｂ  右側挟持板
３００  携帯電話
４００  外付けレンズ
Ｗ  左側挟持板と右側挟持板の間の広さ
【図１】
0003220345.tif 000003
【図２】
0003220345.tif 000004
【図３】
0003220345.tif 000005
【図４】
0003220345.tif 000006
【図５】
0003220345.tif 000007
【図６】
0003220345.tif 000008
【図７】
0003220345.tif 000009
【図８】
0003220345.tif 000010